(57)【要約】【課題】メモリーカードを制御するためのクロック信号に起因する不要輻射を抑制することが可能なメディアプレーヤーを提供する。【解決手段】メディアに記憶されたデーターの再生時に付加的に使用されるデーターを記憶するメモリーカードを着脱可能に接続するカードソケットと、カードソケットにメモリーカードが接続されたことを検出して、同メモリーカードに対してクロック信号を供給するクロック信号供給手段と、メモリーカードへのアクセスを操作入力を通じて受け付け、操作入力を受け付けた場合はクロック信号供給手段にメモリーカードの接続の検出を実行させ、操作入力を受け付けない場合はクロック信号供給手段にメモリーカードの接続の検出を実行させない供給切り替え部と、を有する。【選択図】図２
2011103091.tif 000002
【特許請求の範囲】
【請求項１】
所定のメディアに記憶されたデーターを再生部により再生するメディアプレーヤーにおいて、
前記メディアに記憶されたデーターの再生時に付加的に使用されるデーターを記憶するメモリーカードを着脱可能に接続するカードソケットと、
前記カードソケットにメモリーカードが接続されたことを検出して、同メモリーカードに対してクロック信号を供給するクロック信号供給手段と、
前記メモリーカードへのアクセスを操作入力を通じて受け付け、前記操作入力を受け付けた場合は前記クロック信号供給手段に前記メモリーカードの接続の検出を実行させ、前記操作入力を受け付けない場合は前記クロック信号供給手段に前記メモリーカードの接続の検出を実行させない供給切り替え部と、を有することを特徴とするメディアプレーヤー。
【請求項２】
操作画面を表示して前記メモリーカードに対する操作入力を受け付ける操作入力受付手段を有し、
前記供給切り替え部は、前記操作画面を介して入力された操作入力に応じて前記クロック信号供給手段における検出を切換えることを特徴とする請求項１に記載のメディアプレーヤー。
【請求項３】
前記メモリーカードが前記カードソケットに接続された際、メモリーカードの接続を検出する検出部を有し、
前記供給切り替え部は、前記検出部が前記メモリーカードの接続を検出した場合は、前記操作入力受付手段に前記操作画面を表示させることを特徴とする請求項２に記載のメディアプレーヤー。
【請求項４】
前記クロック信号供給手段は、前記カードソケットにメモリーカードが接続されると、検出ラインに流れる信号の電圧値が変化することでメモリーカードの接続を検出し、
前記供給切り替え部は、前記検出ラインの導通を切換えることで、前記クロック信号供給手段の検出の実行を切換えることを特徴とする請求項１〜請求項３のいずれか一項に記載のメディアプレーヤー。
【請求項５】
操作画面を表示して前記メモリーカードに対する操作入力を受け付ける操作入力受付手段と、
前記メモリーカードが前記カードソケットに接続された際、メモリーカードの接続を検出する検出部と、を有し、
前記クロック信号供給手段は、前記カードソケットにメモリーカードが接続されると、検出ラインに流れる信号の電圧値が変化することでメモリーカードの接続を検出し、
前記供給切り替え部は、
前記検出ラインの導通を切換えることで、前記クロック信号供給手段の検出の実行を切換え、
前記操作画面を介して入力された操作入力に応じて前記クロック信号供給手段における検出を切換え、又、
前記検出部が前記メモリーカードの接続を検出した場合は、前記操作入力受付手段に前記操作画面を表示させることを特徴とする請求項１に記載のメディアプレーヤー。
【発明の詳細な説明】
【技術分野】
【０００１】
本発明は、メディアプレーヤーに関し、特に着脱可能なメモリーカードを接続するメディアプレーヤーに関する。
【背景技術】
【０００２】
従来、所定のメディアを再生するメディアプレーヤーが知られている。このようなメディアプレーヤーは、メディアに記憶されたデーターを読み取ることで再生を行う。また、近年では、メディアの記憶容量の増加に伴い再生可能なデーターのコンテンツが拡張しており、メディアプレーヤーに対して様々な用途が模索されている（例えば、特許文献１から３参照）。
【０００３】
上記したメディアプレーヤーの中には、カードソケットを介してメモリーカードと着脱可能に接続し、このメモリーカードに記憶されたデーターを用いて所定の処理を行なうものが知られている。また、メモリーカードにアクセスを行う場合、メモリーカードにクロック信号を供給し、このクロック信号に同期してメモリーカードにライト／リードのアクセスを行う。
【先行技術文献】
【特許文献】
【０００４】
【特許文献１】特開平５−２０４５０７号公報
【特許文献２】特開２００６−１７８９１５号公報
【特許文献３】特開２００７−３１０７５８号公報
【発明の概要】
【発明が解決しようとする課題】
【０００５】
接続されたメモリーカードにアクセスを行う場合、常時、クロック信号を出力する必要がある。一方、近年ＩＣ等の処理速度の高速化からクロック信号の周波数も高くなる傾向があり、このクロック信号に起因した不要輻射が問題となる。不要輻射はメディアプレーヤーを誤作動させる原因となるため、できるだけ抑制することが望ましい。
【０００６】
本発明は、上記課題にかんがみてなされたもので、メモリーカードを制御するためのクロック信号に起因する不要輻射を抑制することが可能なメディアプレーヤーの提供を目的とする。
【課題を解決するための手段】
【０００７】
上記課題を解決するために、本発明では、所定のメディアに記憶されたデーターを再生部により再生するメディアプレーヤーにおいて、前記メディアに記憶されたデーターの再生時に付加的に使用されるデーターを記憶するメモリーカードを着脱可能に接続するカードソケットと、前記カードソケットにメモリーカードが接続されたことを検出して、同メモリーカードに対してクロック信号を供給するクロック信号供給手段と、前記メモリーカードへのアクセスを操作入力を通じて受け付け、前記操作入力を受け付けた場合は前記クロック信号供給手段に前記メモリーカードの接続の検出を実行させ、前記操作入力を受け付けない場合は前記クロック信号供給手段に前記メモリーカードの接続の検出を実行させない供給切り替え部と、を有する構成としてある。
【０００８】
上記のように構成された発明では、カードソケットにメモリーカードが接続されたことを検出して、同メモリーカードに対してクロック信号を供給するクロック信号供給手段を有するメディアプレーヤーにおいて、供給切り替え部は、メモリーカードへのアクセスを操作入力を通じて受け付け、前記操作入力を受け付けた場合はクロック信号供給手段にメモリーカードの接続の検出を実行させ、操作入力を受け付けない場合はクロック信号供給手段に前記メモリーカードの接続の検出を実行させない。
そのため、メモリーカードがカードソケットに接続された場合でも、メモリーカードに対する操作入力がなければクロック信号が供給されないため、このクロック信号に起因する不要輻射を軽減することができる。
【０００９】
そして、切り替え手段が操作入力を受け付ける手法の一例として、操作画面を表示して前記メモリーカードに対する操作入力を受け付ける操作入力受付手段を有し、前記供給切り替え部は、前記操作画面を介して入力された操作入力に応じて前記クロック信号供給手段における検出を切換える構成としてもよい。
上記のように構成された発明では、操作画面を介してユーザーがアクセスを指定するデーターを記憶したメモリーカードに対してのみ、本発明にかかる不要輻射の低減を実行するため、ユーザーの意図を反映させつつ不要輻射を軽減することができる。
【００１０】
さらに、前記メモリーカードが前記カードソケットに接続された際、メモリーカードの接続を検出する検出部と、を有し、前記検出部が前記メモリーカードの接続を検出した場合は、前記操作入力受付手段に前記操作画面を表示させる構成としてもよい。
上記のように構成された発明では、メモリーカードがカードソケットに接続された場合は、表示画面を表示して操作入力の有無を確認するため、本発明にかかる構成を採用する場合においても、メモリーカードが接続された場合に、ユーザーがメモリーカードに対する操作入力を行うことができる。
【００１１】
そして、クロック信号供給手段がメモリーカードの接続を検出する手法の一例として、前記クロック信号供給手段は、前記カードソケットにメモリーカードが接続されると、検出ラインに流れる信号の電圧値が変化することでメモリーカードの接続を検出し、前記供給切り替え部は、前記検出ラインの導通を切換えることで、前記クロック信号供給手段の検出の実行を切換える構成としてもよい。
【００１２】
さらに、本発明の他の一例として、操作画面を表示して前記メモリーカードに対する操作入力を受け付ける操作入力受付手段と、前記メモリーカードが前記カードソケットに接続された際、メモリーカードの接続を検出する検出部と、を有し、前記クロック信号供給手段は、前記カードソケットにメモリーカードが接続されると、検出ラインに流れる信号の電圧値が変化することでメモリーカードの接続を検出し、前記供給切り替え部は、前記検出ラインの導通を切換えることで、前記クロック信号供給手段の検出の実行を切換え、前記操作画面を介して入力された操作入力に応じて前記クロック信号供給手段における検出を切換え、又、前記検出部が前記メモリーカードの接続を検出した場合は、前記操作入力受付手段に前記操作画面を表示させる構成としてもよい。
【発明の効果】
【００１３】
以上説明したように本発明によれば、このクロック信号に起因する不要輻射を軽減することができる。
また請求項２にかかる発明によれば、ユーザーの意図を反映させつつ不要輻射を軽減することができる。
そして請求項３にかかる発明によれば、メモリーカードが接続された場合に、ユーザーがメモリーカードに対する操作入力を行うことができる。
【図面の簡単な説明】
【００１４】
【図１】メディアプレーヤーとダウンロードサーバーとの関係を示す図である。
【図２】第１の実施形態にかかるメディアプレーヤーの構成を示すブロック図である。
【図３】カードＩ／Ｆ７０の構成を説明するブロック構成図である。
【図４】メモリーカード８３へのクロック信号の供給制御にかかる処理を示すフローチャートである。
【図５】メモリーカード８３をカードソケット７１に接続した後に実行される、メモリーカード８３へのクロック信号の供給制御にかかる処理を示すフローチャートである。
【発明を実施するための形態】
【００１５】
以下、下記の順序に従って本発明の実施形態を説明する。
（１）第１の実施形態：
（２）第２の実施形態：
（３）その他の実施形態：
【００１６】
（１）第１の実施形態： 
以下、図を参照して、この発明に係るメディアプレーヤーを具体化した第１の実施形態について説明する。図１は、メディアプレーヤーとダウンロードサーバーとの関係を示す図である。図２は、第１の実施形態にかかるメディアプレーヤーの構成を示すブロック図である。以下、メディアプレーヤーとしては、録画再生装置と表示装置とで構成されるものを例に説明を行うが、メディアプレーヤーの構成としてはこれに限定されない。
【００１７】
表示装置９０と録画再生装置８０とは、ＨＤＭＩ（High Definition Multimedia Interface）規格のケーブル５０を介して接続されており、録画再生装置８０と表示装置９０との間でデーターを通信することが可能である。また、録画再生装置８０は、ユーザーがディスクメニューのＢＤーＬｉｖｅを選択することでネットワークＮを通じてダウンロードサーバーＤＳと接続し、このダウンロードサーバーＤＳが記憶するデーターをダウンロードすることができる。なお、ＢＤ−Ｌｉｖｅについては後述する。
【００１８】
＝＝＝録画再生装置８０の構成＝＝＝
録画再生装置８０は、以下の要部を備えて構成されている。符号８１は、メディア制御部（再生部）であり、所定のメディアをもとに録画又は再生を行う。符号８２は、システムコントローラーであり、録画再生装置８０の駆動を制御する。符号８３は、メモリーカードであり、所定のデーターを記憶する。符号８４は、ＯＳＤ回路であり、メディア制御部８１が出力するデーターにＯＳＤ画像を重畳させて出力する。符号８５は、ＨＤＭＩ通信部であり、ＨＤＭＩ規格に準じてデーターを通信する。符号８６は、ネットワークＩ／Ｆであり、所定のプロトコルに従ってネットワークＮに接続する。符号８７は、リモコン受信部であり、図示しないリモコン装置から送信される制御信号をシステムコントローラー８２に送信する。符号７０は、カードＩ／Ｆであり、メモリーカード８３と着脱可能に接続し、メモリーカード８３に対するアクセス制御を行う。
【００１９】
メディア制御部８１は、ＢＤ（ブルーレイディスク）やＤＶＤ等のメディアに記憶されたデーターを光ピックアップ部により読取り、ＨＤＭＩ通信部８５を通じて表示装置９０に送信する。また、録画再生装置８０が表示装置９０から出力されるデーターをケーブル５０を通じて受信した場合は、メディア制御部８１は取得したデーターを光ピックアップ部を用いてメディアに記憶させる。
【００２０】
システムコントローラー８２は、図示しないＣＰＵや、ＣＰＵを駆動させるためのプログラムやデーターが記憶されたＲＯＭ、及びＣＰＵのワークエリアとして作用するＲＡＭを備えて構成されている。また、システムコントローラー８２は、ユーザーがリモコン受信部８７を介して送信した制御信号により、録画再生装置８０の駆動を制御する。なお、システムコントローラー８２と、録画再生装置８０を構成する各部はバスを介して接続されており、このバスを介して制御が行われる。
【００２１】
ＯＳＤ回路８４は、メディア制御部８１から出力される映像信号にＯＳＤ画像を合成して出力させる。ＯＳＤ回路８４が出力させるＯＳＤ画像としては、録画再生装置８０の各種設定を選択するためのＧＵＩ（Graphical User Interface）である操作入力画面、及びメディア再生時におけるディスクメニュー等が含まれる。なお、ＯＳＤ回路８４が出力するＯＳＤ画像は予め内部メモリーに記憶されたものであり制御コマンドに応じて出力されるＯＳＤ画像が決定される。
【００２２】
ＨＤＭＩ通信部８５は、表示装置９０に実装されるＨＤＭＩ通信部９１（後述）との間でＨＤＭＩ規格に準じた通信を行うためのインタフェ−スであり、映像・音声データー及び制御コマンドを通信する。また、本実施形態では制御コマンドとして、ＣＥＣ（Consumer Electronics Control）規格に準じた制御コマンドを用いる。この制御コマンドにより、録画再生装置８０からはケーブル５０を通じて表示装置９０の駆動を制御することが可能となる。
【００２３】
ネットワークＩ／Ｆ８６は、ネットワークＮを通じた録画再生装置８０とダウンロードサーバーＤＳとの接続を確立する。本実施形態では、ユーザーがＢＤの再生中に、ディスクメニューからＢＤ−Ｌｉｖｅを選択した場合は、システムコントローラー８２はネットワークＩ／Ｆ８６にこのＢＤに記憶されたアドレスにより指定されたダウンロードサーバーＤＳからデーターをメモリーカード８３にダウンロードさせる。ここで、ＢＤ−Ｌｉｖｅとは、ＢＤに記憶されたデーターと付加的な役割を示すデーターをダウンロードさせるモードである。このＢＤ−Ｌｉｖｅでは、例えば、ＢＤに記憶された字幕を補間する追加字幕や、ＢＤに記憶されたデーターの製造元から供給される映像（いわゆる特典映像）がダウンロードされる。
【００２４】
メモリーカード８３は、ＥＥＰＲＯＭ等で構成され、ネットワークＩ／Ｆ８６を介して取得されたデーターを記憶する。メモリーカード８３に記憶されるデーターの一例としては、録画再生装置８０の製造元のダウンロードサーバーからダウンロードされた設定データーや、「ＢＤ−Ｌｉｖｅ」が選択された際、メディアに記憶されたデーターの出荷元のダウンロードサーバーからダウンロードされる付加データーである。
【００２５】
カードＩ／Ｆ７０は、メモリーカード８３と着脱可能に接続し、クロック信号に同期してメモリーカード８３に対するアクセスを制御する。図３は、カードＩ／Ｆ７０の構成を説明するブロック構成図である。カードＩ／Ｆ７０は、以下の要部を備えて構成されている。符号７１は、カードソケットであり、メモリーカード８３を着脱可能に接続させる。符号７２は、クロック信号供給ラインであり、クロック信号発生部７４から供給されるクロック信号をカードソケット７１を介してメモリーカード８３に供給する。符号７３は、検出ラインであり、システムコントローラー８２に対してクロック信号を供給させるための第１検出信号を出力する。符号６０は、切り替え回路であり、メモリーカード８３がカードソケット７１に接続された場合、又はメモリーカード８３に対するアクセスに応じて、検出ライン７３の導通を切換える。そのため、クロック信号供給ライン７２、クロック信号発生部７４、検出ライン７３、及びシステムコントローラー８２により本発明のクロック信号供給手段を実現する。
【００２６】
切り替え回路６０は、メモリーカード８３がカードソケット７１に接続されたことを検出して第１検出信号を出力するセンサー６１と、検出ライン７３の導通を切換えるトランジスターＱ１と、システムコントローラー８２からの信号に応じてトランジスターＱ１のベースにベース電流を流すトランジスターＱ２、抵抗Ｒ２、Ｒ３、Ｒ４、及びグランドＧ１と、トランジスターＱ１のベース電流を維持する抵抗Ｒ１と、トランジスターＱ２のオン／オフを切換えるマイクロコンピューター（以下、マイコンと記載する。）６２と、を備えて構成されている。
【００２７】
ここで、センサー６１は、マイコン６２に接続され、メモリーカード８３がカードソケット７１に接続されたことを検出すると、第１検出信号をマイコン６２に出力する。また、トランジスターＱ１は、コレクター／エミッター間で検出ライン７３に接続され、コレクターとベースとは抵抗Ｒ１で接続されている。また、トランジスターＱ１のベースと、トランジスターＱ２のコレクターとは、抵抗Ｒ３を介して接続されている。更に、トランジスターＱ２のベースは抵抗Ｒ２を介してマイコン６２に接続され、エミッターは抵抗Ｒ４を介してグランドＧに接続されている。更に、マイコン６２はシステムコントローラー８２に接続されており、システムコントローラー８２からの制御を受け付ける。
【００２８】
上記構成の切り替え回路６０では、メモリーカード８３がカードソケット７１に接続された場合、センサー６１は第１検出信号をマイコン６２に出力し、マイコン６２はトランジスターＱ２をオンさせるベース電流を一定期間流す。そのため、トランジスターＱ２のオンによりトランジスターＱ１がオンし、検出ライン７３に第２検出信号を流す。この第２検出信号によって、システムコントローラー８２は、メモリーカード８３がカードソケット７１に接続されたことを検出し、以後の処理を実行する。また、システムコントローラー８２は、マイコン６２を制御して、第２検出信号の出力を維持させることが可能である。そのため、切り替え回路６０、及びシステムコントローラー８２により、本発明の供給切り替え部を実現する。
【００２９】
＝＝＝表示装置９０の構成＝＝＝
表示装置９０は以下の要部を備えて構成されている。符号９１は、ＨＤＭＩ通信部であり、録画再生装置８０のＨＤＭＩ通信部８５との間でデーターの通信を行なう。符号９２は、制御部であり、表示装置９０の駆動を制御する。符号９３は、フロントエンド部であり、図示しないアンテナが受信した放送電波からリモコン装置により選局されたチャンネルのデジタルデーターを抽出する。符号９４は、バックエンド部であり、取得されたデジタルデーターから映像信号及び音声信号を復号化し、出力する。符号９５は、ディスプレイであり、復号された映像信号をもとに映像を出力する。符号９６は、スピーカーであり、復号された音声信号をもとに音声を出力する。符号９７は、ＯＳＤ回路であり、バックエンド部９４から出力される映像信号にＯＳＤ画像を合成する。符号９８は、リモコン受信部であり、リモコン装置から出力される赤外線信号を受信し、制御部９２に制御コマンドを出力する。
【００３０】
制御部９２は、リモコン受信部９８を介して入力される制御コマンド、及びＨＤＭＩ通信部９１を介して録画再生装置８０から送信されたＣＥＣ規格に準じた制御コマンドにより、表示装置９０の駆動を制御する。なお、制御部９２は、図示しないＣＰＵや、ＣＰＵを駆動させるためのプログラムやデーターが記憶されたＲＯＭ、及びＣＰＵのワークエリアとして作用するＲＡＭを備えて構成されている。なお、制御部９２と表示装置９０とを構成する各部はバスを介して接続されており、このバスを介して制御が行われる。
【００３１】
フロントエンド部９３は、各種アンテナが受信した放送電波からリモコン装置により選局されたチャンネルの変調信号を抽出する選局部や、選局された変調信号からデジタルデーターを抽出する伝送路復号部を備えて構成されている。
【００３２】
バックエンド部９４は、取得されたデジタルデーターのスクランブルを解除するデスクランブル部や、スクランブルを解除されたデジタルデーターからＭＰＥＧ形式の映像・音声信号、及びＴＳ信号を取り出すＭＰＥＧ多重分離部、更には、映像・音声信号を復号する映像・音声復号部を備えて構成されている。
【００３３】
上記構成により、録画再生装置８０と表示装置９０とは、一体となってメディアに記憶された映像データー及び音声データーを再生する。また、録画再生装置８０は、ディスクメニューの「ＢＤ−Ｌｉｖｅ」が選択された場合は、ダウンロードサーバーＤＳからダウンロードされたデーターがメモリーカード８３に記憶される。メモリーカード８３に記憶されたデーターは、メニュー画面上の操作入力画面によりアクセスすることが可能であり、カードＩ／Ｆ７０を介して出力されるクロック信号に同期して実行される。本実施形態では、メモリーカード８３へのアクセスが行われない場合に、メモリーカード８３へのクロック信号の供給を停止することで、不要輻射を軽減する構成としてある。以下、本実施形態にかかるメモリーカード８３へのクロック信号の供給切り替えの手法を説明する。
【００３４】
＝＝＝メモリーカード８３へのクロック信号の供給について＝＝＝
図４は、メモリーカード８３をカードソケット７１に接続した際実行される、メモリーカード８３へのクロック信号の供給制御にかかる処理を示すフローチャートである。
【００３５】
カードソケット７１にメモリーカード８３が接続されると、ステップＳ１では、センサー６１がメモリーカード８３を検出し、マイコン６２に第１検出信号を出力する。すると、ステップＳ２では、マイコン６２は検出ライン７３を一定期間、導通させる。即ち、マイコン６２は、トランジスターＱ２をオンするベース電流を一定期間出力し、トランジスターＱ２のオンに合わせてトランジスターＱ１をオンさせ、検出ライン７３を一定期間、導通する。その結果、検出ライン７３がメモリーカード８３の接続を検出し、システムコントローラー８２に第２検出信号が出力される。
【００３６】
ステップＳ３では、システムコントローラー８２は、第２検出信号が出力されたことを検出し（ＹＥＳ）、ＯＳＤ回路８４を介して表示装置９０に操作入力画面を表示させる（ステップＳ４）。そのため、表示装置９０は、ＯＳＤ回路８４から出力された操作入力画面にかかるＯＳＤ画像をＨＤＭＩ通信部９１を通じて受信し、操作入力画像を表示させる。ステップＳ４の構成において、システムコントローラー８２とＯＳＤ回路８４とは本発明の操作入力受付手段を実現する。
【００３７】
操作入力画面では、ユーザーによる操作入力によりメモリーカード８３に記憶されたデーターの再生が実行される。ここで、メモリーカード８３に記憶されるデーターは、例えば、ＢＤ−Ｌｉｖｅモードによりダウンロードされる特典映像であるため、録画再生装置８０の駆動に直接影響を与えるものではなく、データーの再生にユーザーの意図を反映させることが可能となる。即ち、不要輻射を軽減させるためにユーザーが再生を選択しない場合でも、録画再生装置８０の駆動に直接的に影響を与えることはない。
【００３８】
また、操作入力画面が表示された状態で、ユーザーがリモコン装置を介してメモリーカード８３の「再生」を選択すると（ステップＳ５：ＹＥＳ）、ステップＳ６では、システムコントローラー８２は、メモリーカード８３へのクロック信号の供給を維持する。即ち、システムコントローラー８２は、切り替え回路６０に対して検出ライン７３の導通を維持させ、メモリーカード８３がカードソケット７１に接続された状態では、システムコントローラー８２はメモリーカード８３の接続を検出する。そのため、メモリーカード８３に対してクロック信号が供給される。
【００３９】
一方、ユーザーがリモコン装置を介してメモリーカード８３の「再生」を選択しない場合は（ステップＳ５：ＮＯ）、システムコントローラー８２は、切り替え回路６０に検出ライン７３の導通を維持させることなく処理を終了する。そのため、検出ライン７３によるメモリーカード８３の接続の検出が実行されない。
【００４０】
また、図５は、メモリーカード８３をカードソケット７１に接続した後に実行される、メモリーカード８３へのクロック信号の供給制御にかかる処理を示すフローチャートである。図５に示す処理は、ユーザーがメモリーカード８３へのアクセスを選択した際実行される処理である。
【００４１】
ユーザーがリモコン装置を操作して、メニュー画面からメモリーカード８３へのアクセスを選択すると（ステップＳ１１：ＹＥＳ）、ステップＳ１２では、システムコントローラー８２は、表示装置９０に操作入力画面を表示させる。
【００４２】
そして、操作入力画面が表示された状態で、ユーザーがリモコン装置を介してメモリーカード８３の「再生」を選択すると（ステップＳ１３：ＹＥＳ）、ステップＳ１４では、システムコントローラー８２は、マイコン６２にメモリーカード８３へのクロック信号の供給を維持させる。そのため、このクロック信号が供給されている間は、システムコントローラー８２からメモリーカード８３に対してクロック信号に同期したアクセスを実行することが可能となる。
【００４３】
一方、ユーザーがリモコン装置を介してメモリーカード８３の「再生」を選択しない場合は（ステップＳ１２：ＮＯ）、システムコントローラー８２は、マイコン６２に検出ライン７３の導通を維持させることなく処理を終了する。そのため、検出ライン７３によるメモリーカード８３の接続の検出が実行されない。
【００４４】
以上説明したように、本発明にかかるメディアプレーヤー１００では、メモリーカード８３へのアクセスにかかる操作入力が入力された時にのみ、メモリーカード８３へクロック信号を供給するため、このクロック信号に起因する不要輻射を軽減することができる。
【００４５】
（２）第２の実施形態：
録画再生装置８０が画像を表示するための表示部を備える場合は、この表示部により表示画面を表示する構成としてもよい。即ち、本発明にかかるメディアプレーヤー１００が録画再生装置８０のみで構成されていてもよい。
【００４６】
（３）その他の実施形態：
クロック信号の供給を停止するための操作入力は操作入力画面を通じて入力されたものに限定されない。例えば、操作入力画面を表示させることなくリモコン装置又は操作パネルを通じて入力された操作入力であってもよい。
【００４７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４８】
５０…ケーブル、６０…切り替え回路、６１…センサー、６２…マイコン、７０…カードＩ／Ｆ、７１…カードソケット、７２…クロック信号供給ライン、７３…検出ライン、７４…クロック信号発生部、８０…録画再生装置、８１…メディア制御部、８２…システムコントローラー、８３…メモリーカード、８４…ＯＳＤ回路、８５…ＨＤＭＩ通信部、８６…ネットワークＩ／Ｆ、８７…リモコン受信部、９０…表示装置、９１…ＨＤＭＩ通信部、９２…制御部、９３…フロントエンド部、９４…バックエンド部、９８…リモコン受信部、１００…メディアプレーヤー、ＤＳ…ダウンロードサーバー
【図１】
2011103091.tif 000003
【図２】
2011103091.tif 000004
【図３】
2011103091.tif 000005
【図４】
2011103091.tif 000006
【図５】
2011103091.tif 000007